【手続補正書】
【提出日】平成17年8月16日(2005.8.16)
【手続補正１】
【補正対象書類名】明細書
【補正対象項目名】発明の名称
【補正方法】変更
【補正の内容】
【発明の名称】予測演算装置および方法、並びに画像情報変換装置および方法
【手続補正２】
【補正対象書類名】明細書
【補正対象項目名】特許請求の範囲
【補正方法】変更
【補正の内容】
【特許請求の範囲】
【請求項１】  ディジタル情報信号の複数のサンプルデータと複数の係数データとを乗算し、乗算結果を加算して予測値または補間値を出力するようにした予測演算装置において、
複数の乗算器に対してそれぞれ入力されるサンプルデータおよび係数データの一方の値を０とする制御手段を設けた予測演算装置。
【請求項２】  請求項１において、
さらに、複数の乗算器に対してそれぞれ入力される上記係数データまたは上記サンプルデータの一部分の値を０とし、他の部分の値を１に設定するようにした予測演算装置。
【請求項３】  入力画像信号から走査線構造の異なる複数の出力画像信号を形成するようにした画像情報変換装置において、
出力画像信号の生成すべき画素の周辺に位置する入力画像信号の複数の第１の画素を選択する第１のデータ選択手段と、
出力画像信号の生成すべき画素の周辺に位置する入力画像信号の複数の第２の画素を選択する第２のデータ選択手段と、
出力画像信号の生成すべき画素の周辺に位置する入力画像信号の複数の第３の画素を選択する第３のデータ選択手段と、
予め取得されている推定式係数を記憶するメモリ手段と、
上記第１のデータ選択手段で選択された複数の第１の画素と上記推定式係数の線形推定式によって、出力画像信号の画素を生成する信号生成手段と、
上記第２のデータ選択手段で選択された複数の第２の画素に基づいて、空間クラスを形成し、上記第３のデータ選択手段で選択された複数の第３の画素に基づいて、動きクラスを形成し、上記空間クラスと上記動きクラスとを統合したクラス情報に対応して上記推定式係数を上記信号生成手段に供給するクラス決定手段と、
上記信号生成手段に対して接続され、変換画像を指定された走査線構造へ変換するための走査変換手段とを有し、
上記信号生成手段は、
複数の上記第１の画素と複数の上記推定式係数とを乗算し、乗算結果を加算する構成であって、
複数の乗算器に対してそれぞれ入力される上記第１の画素および上記推定式係数の一方の値を０とする制御手段を有するものであることを特徴とする画像情報変換装置。
【請求項４】  請求項３において、
インターレス方式入力画像信号からプログレッシブ方式出力画像信号を形成するようにしたことを特徴とする画像情報変換装置。
【請求項５】  請求項３において、
さらに、水平方向に上記入力画像信号の２倍の画素数の出力画像信号を生成することを特徴とする画像情報変換装置。
【請求項６】  請求項３において、
上記予測係数は、上記線形推定式によって、出力画像信号の画素を生成した時に、生成された値と上記画素の真値との誤差を最小とするように、上記クラス情報毎に予め学習によって求めることを特徴とする画像情報変換装置。
【請求項７】  ディジタル情報信号の複数のサンプルデータと複数の係数データとを乗算し、乗算結果を加算して予測値または補間値を出力するようにした予測演算方法において、
複数の乗算器に対してそれぞれ入力されるサンプルデータおよび係数データの一方の値を０とする制御ステップを設けた予測演算方法。
【請求項８】  入力画像信号から走査線構造の異なる複数の出力画像信号を形成するようにした画像情報変換方法において、
出力画像信号の生成すべき画素の周辺に位置する入力画像信号の複数の第１の画素を選択する第１のデータ選択ステップと、
出力画像信号の生成すべき画素の周辺に位置する入力画像信号の複数の第２の画素を選択する第２のデータ選択ステップと、
出力画像信号の生成すべき画素の周辺に位置する入力画像信号の複数の第３の画素を選択する第３のデータ選択ステップと、
予め取得されている推定式係数をメモリ手段に記憶するステップと、
上記第１のデータ選択ステップで選択された複数の第１の画素と上記推定式係数の線形推定式によって、出力画像信号の画素を生成する信号生成ステップと、
上記第２のデータ選択ステップで選択された複数の第２の画素に基づいて、空間クラスを形成し、上記第３のデータ選択ステップで選択された複数の第３の画素に基づいて、動きクラスを形成し、上記空間クラスと上記動きクラスとを統合したクラス情報に対応して上記推定式係数を上記信号生成ステップに供給するクラス決定ステップと、
上記信号生成ステップに対して接続され、変換画像を指定された走査線構造へ変換するための走査変換ステップとを有し、
上記信号生成ステップは、
複数の上記第１の画素と複数の上記推定式係数とを乗算し、乗算結果を加算する構成であって、
複数の乗算器に対してそれぞれ入力される上記第１の画素および上記推定式係数の一方の値を０とする制御ステップを有するものであることを特徴とする画像情報変換方法。
【手続補正３】
【補正対象書類名】明細書
【補正対象項目名】０００１
【補正方法】変更
【補正の内容】
【０００１】
【発明の属する技術分野】
この発明は、複数の画素データと複数の係数データとの線型１次結合の予測演算を行う予測演算装置および方法、並びに画像情報変換装置および方法に関する。
【手続補正４】
【補正対象書類名】明細書
【補正対象項目名】０００４
【補正方法】変更
【補正の内容】
【０００４】
従って、この発明の目的は、タップ数に関して汎用性を有し、また、演算を行わないスルー出力を得るために遅延回路を必要としない予測演算装置および方法、並びに予測演算装置または方法を使用する画像情報変換装置および方法を提供することにある。
【手続補正５】
【補正対象書類名】明細書
【補正対象項目名】０００５
【補正方法】変更
【補正の内容】
【０００５】
【課題を解決するための手段】
請求項１の発明は、ディジタル情報信号の複数のサンプルデータと複数の係数データとを乗算し、乗算結果を加算して予測値または補間値を出力するようにした予測演算装置において、
複数の乗算器に対してそれぞれ入力されるサンプルデータおよび係数データの一方の値を０とする制御手段を設けた予測演算装置である。
また、請求項７の発明は、ディジタル情報信号の複数のサンプルデータと複数の係数データとを乗算し、乗算結果を加算して予測値または補間値を出力するようにした予測演算方法において、
複数の乗算器に対してそれぞれ入力されるサンプルデータおよび係数データの一方の値を０とする制御ステップを設けた予測演算方法である。
【手続補正６】
【補正対象書類名】明細書
【補正対象項目名】０００６
【補正方法】変更
【補正の内容】
【０００６】
請求項６の発明は、入力画像信号から走査線構造の異なる複数の出力画像信号を形成するようにした画像情報変換装置において、
出力画像信号の生成すべき画素の周辺に位置する入力画像信号の複数の第１の画素を選択する第１のデータ選択手段と、
出力画像信号の生成すべき画素の周辺に位置する入力画像信号の複数の第２の画素を選択する第２のデータ選択手段と、
出力画像信号の生成すべき画素の周辺に位置する入力画像信号の複数の第３の画素を選択する第３のデータ選択手段と、
予め取得されている推定式係数を記憶するメモリ手段と、
第１のデータ選択手段で選択された複数の第１の画素と推定式係数の線形推定式によって、出力画像信号の画素を生成する信号生成手段と、
第２のデータ選択手段で選択された複数の第２の画素に基づいて、空間クラスを形成し、第３のデータ選択手段で選択された複数の第３の画素に基づいて、動きクラスを形成し、空間クラスと動きクラスとを統合したクラス情報に対応して推定式係数を信号生成手段に供給するクラス決定手段と、
信号生成手段に対して接続され、変換画像を指定された走査線構造へ変換するための走査変換手段とを有し、
信号生成手段は、
複数の第１の画素と複数の推定式係数とを乗算し、乗算結果を加算する構成であって、
複数の乗算器に対してそれぞれ入力される第１の画素および推定式係数の一方の値を０とする制御手段を有するものであることを特徴とする画像情報変換装置である。
また、請求項８の発明は、入力画像信号から走査線構造の異なる複数の出力画像信号を形成するようにした画像情報変換方法において、
出力画像信号の生成すべき画素の周辺に位置する入力画像信号の複数の第１の画素を選択する第１のデータ選択ステップと、
出力画像信号の生成すべき画素の周辺に位置する入力画像信号の複数の第２の画素を選択する第２のデータ選択ステップと、
出力画像信号の生成すべき画素の周辺に位置する入力画像信号の複数の第３の画素を選択する第３のデータ選択ステップと、
予め取得されている推定式係数をメモリ手段に記憶するステップと、
第１のデータ選択ステップで選択された複数の第１の画素と推定式係数の線形推定式によって、出力画像信号の画素を生成する信号生成ステップと、
第２のデータ選択ステップで選択された複数の第２の画素に基づいて、空間クラスを形成し、第３のデータ選択ステップで選択された複数の第３の画素に基づいて、動きクラスを形成し、空間クラスと動きクラスとを統合したクラス情報に対応して推定式係数を信号生成ステップに供給するクラス決定ステップと、
信号生成ステップに対して接続され、変換画像を指定された走査線構造へ変換するための走査変換ステップとを有し、
信号生成ステップは、
複数の第１の画素と複数の推定式係数とを乗算し、乗算結果を加算する構成であって、
複数の乗算器に対してそれぞれ入力される第１の画素および推定式係数の一方の値を０とする制御ステップを有するものであることを特徴とする画像情報変換方法である。